(57)【要約】      （修正有）【課題】希釈型の薬液（液体化学肥料、除草剤、殺虫剤、消毒液、液体洗剤、液体ワックス等以下薬液という）を適切な希釈濃度でかつ一定の濃度で水道水と混合させ希釈しながら連続的に散布することができる散水ノズルを提供する。【解決手段】薬剤補給容器内部に散水ノズル本体内部の水道水主流路水管を分岐し薬液補給容器内に水道水を取り込み、水道水と薬液が希釈混合しないように仕切り板を設け、水道水の水圧で仕切り板をスライドさせ薬液の流出量を調節し、散水ノズル噴出口まで配管した薬液専用流路細管を通じて薬液流出口に押し出すことで散水ノズル噴射口で水道水と薬液を適切な希釈濃度でかつ一定濃度に希釈混合できる装置と散水スプレー本体とを一体化し、通水と止水を制御する噴射レバーを操作して水道水を噴射することで希釈薬液を連続的に散布できる薬液希釈散水ノズル。【選択図】なし【特許請求の範囲】
【請求項１】
希釈型の薬液（液体化学肥料、除草剤、殺虫剤、農薬、清掃用消毒液、液体洗剤、洗車用洗剤や液体ワックス等、以下薬液という）を希釈しながら一定の濃度で散布するために、薬液補給容器２内部に散水ノズル本体１内部の水道水主流路水管３を分岐し薬液補給容器２内に水道水を取り込み、水道水と薬液が薬液補給容器２内で希釈混合しないように水道水の貯留部５と薬液の貯留部６を隔離するためのスライド式の仕切板７を設け、水道水取り込み口４から流入した水道水の水圧でスライド式の仕切板７をスライドさせ薬液貯留部６の薬液の流出量を調整し、散水ノズル噴射口１１まで配管した薬液専用流路細管１２を通じて薬液流出口１４に押し出しことで散水ノズル噴射口１１で水道水と薬液を適切な希釈濃度でかつ一定濃度に希釈混合できる装置と散水スプレー本体１とを一体化し、通水と止水を制御する噴射レバー８を操作して水道水を噴射することで希釈薬液を連続的に散布できる薬液希釈散水ノズル。
【発明の詳細な説明】
【発明の詳細な説明】
【技術分野】
【０００１】  本発明は主に希釈型の薬液を噴霧器やじょうろ等の容器で希釈することなく、散水ノズルの水道水を通水することで散水ノズルの噴射口で水道水と薬液を混合希釈しながら散布できる散水ノズルに関するものである。
【背景技術】
【０００２】  主に希釈型の薬液を散布する場合は、噴霧器の容器やじょうろ等に付属した容器で希釈し、希釈液の入った散布器具を散布対象物の近くに運搬し、散布器具を持ちながら散布範囲を移動し散布を行っていた。【０００３】  散布を広範囲に行う場合は、希釈作業、運搬作業、散布作業を何回も反復作業を行っていた。【０００４】  これまで本体に取り付けた薬液補給容器内に水道水を取り込み、薬液補給容器内で水と薬液を希釈混合し散布する散水ノズルは市販されているが、薬液補給時の薬液が徐々に薄まってしまい最終的に水道水に限りなく近い状態の希釈液になるため薬液の適切な希釈と一定濃度の散布はできないものであった。
【発明の概要】
【発明が解決しようとする課題】
【０００５】  主に希釈型の薬液を散布する場合は、あらかじめ薬液を噴霧器の容器やじょうろ等の付属の容器で希釈するため、希釈液を格納する容量を多くすればするほど重量が重くなるため運搬、散布作業中の移動に労力を要した。【０００６】  したがって、噴霧器やじょうろの希釈液を格納する容器も運搬や作業中の移動の労力を考慮すると希釈液の格納容量に制限があるため、薬剤散布を広範囲に行う場合、希釈作業、運搬作業、散布作業を何回も反復する必要があった。【０００７】  また噴霧器やじょうろによる薬液散布は、噴射口からの水圧が弱く散布しようとする対象物の近くに散布器具を持っていき散布しなければならなかった。【０００８】  乾電池式の電動ポンプを使用する散布器具も市販されているが噴霧器やじょうろと同様にあらかじめ付属の容器に薬液の希釈液をつくり、運搬し、散布するという面ではじょうろと噴霧器の反復作業を繰り返さなければならないことから、噴霧器やじょうろとなんら変わらない作業工程を要していた。【０００９】  本体に薬液補給容器を取り付け、その薬液補給容器内で水と薬液を希釈混合しながら噴射する散水ノズルは先行技術として市販されている。しかし薬液補給容器内で一定量の薬液を連続的に取り込んだ水道水で希釈混合して噴射するため、薬液補給時の濃度が徐々に薄まり、薄まった希釈薬液にさらに連続的に水道水を取り込んで希釈混合して噴射するため徐々に希釈液の濃度が薄まり噴射開始時と終了時の希釈液濃度には大きな濃度の差が生じ、薬液を適切な希釈濃度で散布できずかつ一定濃度の散布ができない欠点があった。
【課題を解決するための手段】
【００１０】本発明の薬液希釈散水ノズルは、上記課題を解決する為以下の構成を有している。【００１１】  散水ノズル本体１は先行技術の機能を備えるため、通水と止水を切り替える噴射レバー８、水道水供給口９、散水ノズル噴射口１１、散水ノズル本体の内部の水道水の経路である水道水主流路水管３、噴射水形切り替えダイヤル１０から構成されている。【００１２】  本発明の薬液希釈散水ノズルを実現するためには上記一般的に普及している散水ノズルに薬液を適切な希釈濃度でかつ一定濃度で希釈薬液を連続的に散布する機能を持たせるためには以下の構成を付加する必要がある。
本発明の薬液希釈散水ノズルは、薬液補給容器２、その薬液補給容器２内で薬液と水道水が希釈混合されないように水道水の貯留部５と液薬の貯留部６を隔離する目的と容器内に取り込んだ水道水の水圧により薬液を容器内から押し出すためのスライド式の仕切板７、薬液補給容器２に水道水を取り込むため水道水主流路水管３から分岐させた水道水取り込み口４、液補給容器内２に取り込むことで生じた水圧で押し出される薬液の流出経路である薬液専用流路細管１２通して散水ノズル噴射口１１の直前に配置した薬液流出口１４に流出させ、噴射レバー８を操作し水道水を噴射することで、薬液を希釈混合し連続的に希釈薬液の噴射することができる。また上記に加え薬液の適切な希釈倍率、一定濃度の希釈を行うため薬液流出口１４に流出する薬液量を調整する構成を一般的に普及している散水ノズルに付加する必要があり図面においては実施例として薬液流出量調整ダイヤル１３を採用した。【００１３】  先行技術の散水ノズルでは薬液補給容器内に水道水を取り込むことにより薬液が徐々に薄まって薬液の適切な希釈と一定濃度の散布ができない欠点があったが、その欠点を解決する方法として、薬液補給容器２内で取り込んだ水道水と薬液が希釈混合しないようしなければならず、取り込んだ水道水の貯留部５と薬液の貯留部６をスライド式の仕切板７で隔離し、取り込んだ水道水の圧力で仕切板をスライドさせ薬液を薬液補給容器外に押し出すとともに薬液補給容器２内に水道水が逆流しないように水道水主流水管３の水圧の影響を受けない散水ノズル噴射口１１まで薬液専用流路細管１２の薬液流出口１４を配管する必要がある。
【発明の効果】
【００１４】  本発明によれば、以下のような効果がある。
水道水を通水することで同時に薬液を希釈混合しながら薬液の適切な希釈濃度と一定の濃度で希釈薬液を連続的に散布できる散水ノズルを使用することで、あらかじめ噴霧器やじょうろ等に付属する容器で希釈薬液を作る必要がなくなり、また噴霧器やじょうろ等の希釈液を格納する容器の容量では散布範囲を広げると何回も希釈作業を繰り返す必要があったが、本装置では希釈型の薬液を補充するだけで広範囲に希釈薬液の散布ができるため作業の省力化ができる効果が得られる。【００１５】  本発明の散水ノズルを使用することで、散布対象物に散布するのに散布器具と一緒に重量のある希釈薬液を運搬する必要がなく、運搬や散布中の移動の労力を格段に軽減させる効果が得られる。【００１６】  薬液を広範囲に散布する場合、本発明によると薬液格納容器２に薬液を補充し散水ノズルで散布するだけで、希釈液作成作業、希釈液と散布器具の運搬作業、散布作業中の移動、同様の反復作業など今までの作業を大幅に短時間化、省力化ができる効果が得られる。【００１７】  また本発明では水道水の水圧で希釈薬液を散布するため、噴霧器やじょうろに比べてより高圧で散布できることから散布対象物から遠い位置での散布、植木や壁面等のより高所への散布作業が可能になるという効果が得られる。
【本発明を実施するための形態】
【００１８】  以下に図面を参照にして本考案を実施するための形態を説明する。
この薬液希釈散水ノズルは園芸、農業、洗車、清掃など薬液を希釈して散布する様々な用途に用いることができる。
【００１９】  薬液としては、液体化学肥料、除草剤、殺虫剤、清掃用消毒液、液体洗剤、洗車用洗剤や液体ワックス等を使用することができる。さらに、これらの液体を予め水で一定濃度希釈したものを使用してもかまわない。
【００２０】  図１は本発明の散水ノズルの外観図である。散水ノズル本体１は先行技術の散水ノズル本体と同様に水道水供給口９、噴射レバー８、噴射水形切り替えダイヤル１０、散水ノズル噴射口１１の要素で構成されている。本発明では散水ノズル本体に、薬液を補給する薬液補給容器２、薬液補給容器２内に水道水を取り込む水道水取り込み口４、薬液補給容器２内で薬液と水道水が希釈混合しないようにする目的と取り込んだ水道水の水圧でスライドし薬液を噴出口に流出させるためのスライド式の仕切板７、薬液の流出量を調整するための薬液流量調整ダイヤル１２、薬液を希釈混合する部位である散水ノズル噴射口１１、から構成される。
薬液補給容器２は薬液残量が見えるように透けて見える素材を使用するのが好ましく薬液残量がなくなったとき容器内の取り込んだ水を排出しまた薬液を補給することで簡単に散布範囲を広げることができる。
また薬液補給容器２の本体への取り付け位置は、薬液補給容器内に取り込んだ水圧により薬液の流出を促していて自然流下の力は必要ないため本体の上部や中央部に配置しても構わない。
【００２１】  薬液の流量を調整するための薬液流量調整ダイヤル４は薬液の薬液流出口１４に薬液の流出量を変化させる機能をもたせることでその目的を果たせるので複数の方法が考えられるが、流出経路を狭める機能を有すればよく、図３の方法に限定せず液体流量調整バルブを使う方法や薬液流路細管の入り口１５に径の異なる穴の開いたアダプターを差しこむ方法でも構わない。
【００２２】  図２は散水ノズルの断面図で、散水ノズル本体１に希釈散布する薬液を補給する薬液補給容器２、薬液の流出量を調整する薬液流量調整ダイヤル１３、水道水を導入する水道水給口９と、導入した水を噴射すると同時に薬液流出口１４から流出した薬液を希釈混合する部位である散水ノズル噴射口１１と、水道水供給口９から散水ノズル噴射口１１まで水道水を通過させる主流路水管３の内部に薬液を流出させる薬液専用流路細管１２を散水ノズル噴射口１１の近くまで通し、水道水が逆流しないように水道水の水圧が及ばない散水ノズル噴射口１１付近にラッパ状の形状の側面に主水流取り込み穴１９を開け、薬液流出口１４で合流させることで、水流を薬液流出口の中央部に集め、水と薬液を混合し散布できる。
主流路水管３への通水および止水を切り換える噴射レバー８を操作することでゴム弁１５と連動し、レバーの手を離すとスプリング１６によりゴム弁１５がもとの位置にもどり止水できる。
図面において散水ノズルに取り付けた薬液補給容器２は薬液を補給する容器であり容器内に水道水の取り込み穴４を設け、取り込んだ水と薬液が混合しないようにするとともに取り込んだ水の水圧で薬液を噴射口１１に押し出すためにスライド式の仕切り版７を設けてある。
薬液流出量調整ダイヤル１３の板には、径の異なる複数の薬液流出調整穴１８を設け、ダイヤルを回すことで薬液専用流路細管１２に流出する薬液の量を径に応じて変化させ希釈濃度を変えることができる。
【００２３】  図３は本発明の散水ノズル本体に取り付けた薬液流量調整ダイヤル１３の斜視図である。図面において薬液補給容器２から薬液専用流路細管１２を経て流出する薬液を径の違う薬液調整用穴１８を通すことで薬液の流出量を制御でき、液漏れ防止のため０リング２０を使用した実施例である。
【産業上の利用の可能性】
【００２４】  以上述べたように本発明の薬液希釈散水ノズルは非常に簡易な構造であり、現在普及している先行技術の散水ノズルに薬液格納容器と薬液流出量調整機能と水道水を出しながら薬液を希釈混合し噴射する機能を付加するもので安価に製造できる。
そのため、液体肥料の散布、希釈型の除草剤の散布、植木等への液体殺虫剤の散布、自動車の洗浄や液体ワックスの塗布、食堂や食品工場、浴場、温泉等の床面への次亜塩素酸ナトリウムの散布等清掃用として身近な散布作業に使用する器具として安価に提供できる。水道水を噴射しながら薬液を希釈混合できるため、これまで散布作業に要していた希釈作業、運搬作業、散布中の移動等の反復作業を大幅に省力化でき同時に作業の時間短縮が可能になる。また噴霧器やじょうろでの散布では脚立や梯子を使わなければ届かない高所への散布も可能になる。
【図面の簡単な説明】
【図１】図面１は、本発明の希釈機能の付いた散水スプレーの外形図である。
【図２】図面２は、本発明の希釈機能の付いた散水ノズルの断面図である。
【図３】図３は薬液流量調整ダイヤルの実施例の斜視図である。
【図１】
2019155348.tif 000002
【図２】
2019155348.tif 000003
【図３】
2019155348.tif 000004
【手続補正書】
【提出日】平成30年10月19日(2018.10.19)
【手続補正１】
【補正対象書類名】特許請求の範囲
【補正対象項目名】請求項１
【補正方法】変更
【補正の内容】
【請求項１】
希釈型の薬液（液体化学肥料、除草剤、殺虫剤、農薬、清掃用消毒液、液体洗剤、洗車用洗剤や液体ワックス等、以下薬液という）を希釈しながら一定の濃度で散布するために、薬液補給容器２内部に散水ノズル本体１内部の水道水主流路水管３を分岐し薬液補給容器２内に水道水を取り込み、水道水と薬液が薬液補給容器２内で希釈混合しないように水道水の貯留部５と薬液の貯留部６を隔離するためのスライド式の仕切板７を設け、水道水取り込み口４から流入した水道水の水圧でスライド式の仕切板７をスライドさせ薬液貯留部６の薬液の流出量を調整し、散水ノズル噴射口１１まで配管した薬液専用流路細管１２を通じて薬液流出口１４に押し出されることで散水ノズル噴射口１１で水道水と薬液を適切な希釈濃度でかつ一定濃度に希釈混合できる装置と散水ノズル本体１とを一体化し、通水と止水を制御する噴射レバー８を操作して水道水を噴射することで希釈薬液を連続的に散布できる薬液希釈散水ノズル。
【手続補正２】
【補正対象書類名】明細書
【補正対象項目名】００２０
【補正方法】変更
【補正の内容】
【００２０】  図１は本発明の散水ノズルの外観図である。散水ノズル本体１は先行技術の散水ノズル本体と同様に水道水供給口９、噴射レバー８、噴射水形切り替えダイヤル１０、散水ノズル噴射口１１の要素で構成されている。本発明では散水ノズル本体に、薬液を補給する薬液補給容器２、薬液補給容器２内に水道水を取り込む水道水取り込み口４、薬液補給容器２内で薬液と水道水が希釈混合しないようにする目的と取り込んだ水道水の水圧でスライドし薬液を噴出口に流出させるためのスライド式の仕切板７、薬液の流出量を調整するための薬液流量調整ダイヤル１３、薬液を希釈混合する部位である散水ノズル噴射口１１、から構成される。
薬液補給容器２は薬液残量が見えるように透けて見える素材を使用するのが好ましく薬液残量がなくなったとき容器内の取り込んだ水を排出しまた薬液を補給することで簡単に散布範囲を広げることができる。
また薬液補給容器２の本体への取り付け位置は、薬液補給容器内に取り込んだ水圧により薬液の流出を促していて自然流下の力は必要ないため本体の上部や中央部に配置しても構わない。
【手続補正３】
【補正対象書類名】明細書
【補正対象項目名】００２１
【補正方法】変更
【補正の内容】
【００２１】  薬液の流量を調整するための薬液流量調整ダイヤル１３は薬液の薬液流出口１４に薬液の流出量を変化させる機能をもたせることでその目的を果たせるので複数の方法が考えられるが、流出経路を狭める機能を有すればよく、図３の方法に限定せず液体流量調整バルブを使う方法や薬液流路細管の入り口１５に径の異なる穴の開いたアダプターを差しこむ方法でも構わない。